(57)【要約】【課題】温度だけでなく、湿度についても建物の室内全体で効率良く均一化を図ることができる空調装置を提供する。【解決手段】誘導拡散ダクト１１が空気を漏出させる材質から成るフィルタと、通風路を有し建物の室内天井部に固定可能なフレームとを有する。フレームは、通風路への送風取入口と、通風路に沿って設けられ送風取入口から取り入れた空気を排出する送風拡散口と、送風拡散口にフィルタを配置して保持可能な保持部とを有する。水分供給部１２が、水分供給量を調節して水分供給可能な弁を有する。水路１３が、水分供給部１２に接続されて貯水可能にダクトの上側に送風拡散口に沿って設けられる。気流発生装置１４が、室内天井部に固定可能な基部と、基部が室内天井部に固定されたとき床側に向けて送風可能な送風機とを有する。【選択図】図１
2005291635.tif 000002
【特許請求の範囲】
【請求項１】
誘導拡散ダクトと、水分供給部と、水路と、気流発生装置とを有し、
前記誘導拡散ダクトは、空気を漏出させる材質から成るフィルタと、通風路を有し建物の室内天井部に固定可能なフレームとを有し、
前記フレームは、前記通風路への送風取入口と、前記通風路に沿って設けられ前記送風取入口から取り入れた空気を排出する送風拡散口と、前記送風拡散口に前記フィルタを配置して保持可能な保持部とを有し、
前記水分供給部は、水分供給量を調節して水分供給可能な弁を有し、
前記水路は、前記水分供給部に接続されて貯水可能に前記ダクトの上側に前記送風拡散口に沿って設けられ、
前記気流発生装置は、前記室内天井部に固定可能な基部と、前記基部が前記室内天井部に固定されたとき床側に向けて送風可能な送風機とを有することを、
特徴とする空調装置。
【請求項２】
湿度センサと制御装置とを有し、前記制御装置は前記湿度センサによる検出湿度を入力してその検出湿度に応じて前記水分供給部の水分供給量および前記送風機の送風量を制御可能な構成を有し、前記水路は前記送風拡散口に沿って前記フィルタに水分供給可能な水分供給口を有することを、特徴とする請求項１記載の空調装置。
【請求項３】
前記フレームは暖房装置、冷房装置または暖冷房装置の送風口からの送風を前記送風取入口から取り入れ可能に配置され、前記室内天井部に沿って延びて前記送風拡散口が床側を向くよう前記室内天井部に固定され、前記基部は前記室内天井部に固定され、前記水路は前記フィルタと前記室内天井部との間に配置されていることを、特徴とする請求項１または２記載の空調装置。
【発明の詳細な説明】
【技術分野】
【０００１】
本発明は、暖房装置、冷房装置または暖冷房装置からの送風を取り入れて建物
の室内に拡散させるための空調装置に関する。
【背景技術】
【０００２】
従来、建物の室内全体で効率良く温度の均一化を図る装置として、誘導拡散ダクトと気流発生装置とを有し、誘導拡散ダクトの送風取入口から取り入れた空気を送風拡散口のフィルタから漏出させ、送風機により床側に向けて送風するものがある（特許文献１参照）。
【０００３】
【特許文献１】特開２００２−１４７８１３号公報
【発明の開示】
【発明が解決しようとする課題】
【０００４】
しかしながら、特許文献１の装置は、湿度の制御まで考慮していなかった。
【０００５】
本発明は、このような従来の課題に着目してなされたもので、温度だけでなく、湿度についても建物の室内全体で効率良く均一化を図ることができる空調装置を提供することを目的とする。
【課題を解決するための手段】
【０００６】
上記目的を達成するために、本発明に係る空調装置は、誘導拡散ダクトと、水分供給部と、水路と、気流発生装置と、制御装置とを有し、前記誘導拡散ダクトは、空気を漏出させる材質から成るフィルタと、通風路を有し建物の室内天井部に固定可能なフレームとを有し、前記フレームは、前記通風路への送風取入口と、前記通風路に沿って設けられ前記送風取入口から取り入れた空気を排出する送風拡散口と、前記送風拡散口に前記フィルタを配置して保持可能な保持部とを有し、前記水分供給部は、水分供給量を調節して水分供給可能な弁を有し、前記水路は、前記水分供給部に接続されて貯水可能に前記ダクトの上側に前記送風拡散口に沿って設けられ、前記気流発生装置は、前記室内天井部に固定可能な基部と、前記基部が前記室内天井部に固定されたとき床側に向けて送風可能な送風機とを有することを、特徴とする。
【０００７】
フレームは、面状に広がっていても、細長く延びていてもよい。送風拡散口は、フレーム全体に広がって設けられていても、フレームに数カ所に分かれて設けられていても、フレームに溝状に設けられていてもよい。フィルタは、シート状であっても、袋状であってもよい。フィルタは、送風拡散口を塞ぐよう配置されることが好ましい。フィルタが袋状をなしている場合、フィルタの開口が送風取入口に接続していることが好ましい。
【０００８】
本発明に係る空調装置は、誘導拡散ダクトのフレームを、暖房装置、冷房装置または暖冷房装置の送風口からの送風を送風取入口から取り入れ可能に配置して室内天井部に沿って固定し、気流発生装置の基部を室内天井部に固定して使用される。誘導拡散ダクトは、送風取入口から取り入れた送風を送風拡散口からフィルタを通して排出し、室内に拡散させる。気流発生装置は、送風機により床側に向けて送風し、室内の空気を上下方向に拡散、還流させる。
【０００９】
湿度を調整する場合、水分供給部の弁を開いて水路に貯水する。誘導拡散ダクトの送風取入口から取り入れられた送風は、水路の水で湿度を高められてフィルタを通して排出され、室内に拡散される。さらに、湿度を高められた空気は、気流発生装置により室内の上下方向に拡散、還流される。水路は送風拡散口に沿って設けられているため、送風拡散口に沿って効率良く湿度の均一化を図ることができる。
【００１０】
暖房装置、冷房装置または暖冷房装置の送風は、室内天井部に沿った方向および上下方向の両方で拡散させられるため、建物の室内全体で効率良く温度および湿度が均一化され、これにより、省エネルギーを図ることができる。また、送風取入口から取り入れた送風をフィルタを通して排出することにより、埃や臭いをフィルタでろ過または吸着し、室内の空気を清浄化することができる。
【００１１】
本発明に係る空調装置は、湿度センサと制御装置とを有し、前記制御装置は前記湿度センサによる検出湿度を入力してその検出湿度に応じて前記水分供給部の水分供給量および前記送風機の送風量を制御可能な構成を有し、前記水路は前記送風拡散口に沿って前記フィルタに水分供給可能な水分供給口を有することが好ましい。
【００１２】
この構成では、室内に湿度センサを設置すれば、制御装置で室内の湿度に応じて水分供給部の水分供給量および送風機の送風量を制御し、常に快適な湿度に設定することができる。急速に湿度を上げたい場合には、水路の水分供給口から送風拡散口に沿ってフィルタに水分供給することにより、湿度を上げることができる。
【００１３】
本発明に係る空調装置で、前記フレームは暖房装置、冷房装置または暖冷房装置の送風口からの送風を前記送風取入口から取り入れ可能に配置され、前記室内天井部に沿って延びて前記送風拡散口が床側を向くよう前記室内天井部に固定され、前記基部は前記室内天井部に固定され、前記水路は前記フィルタと前記室内天井部との間に配置されていることが好ましい。
【発明の効果】
【００１４】
本発明によれば、温度だけでなく、湿度についても建物の室内全体で効率良く均一化を図ることができる空調装置を提供することができる。
【発明を実施するための最良の形態】
【００１５】
以下、図面に基づき、本発明の実施の形態について説明する。
以下、図面に基づき本発明の実施の形態について説明する。
図１〜図３は、本発明の実施の形態を示している。
図１〜図３に示すように、空調装置１は、建物の室内天井部２に設けられている。室内天井部２の上部または壁面付近には、暖冷房装置の室内機が取り付けられている。空調装置１は、誘導拡散ダクト１１と、水分供給部１２と、水路１３と、気流発生装置１４と、湿度センサ１５と、制御装置１６とを有している。
【００１６】
誘導拡散ダクト１１は、空気を漏出させる材質から成るフィルタと、通風路を有し建物の室内天井部に固定可能なフレームと、送風ファンとを有している。フィルタは、ポリプロピレン系不織布フィルタ製の細長い袋から成る。この不織布フィルタは、難燃性の布状であって、空気を全体から均等に微風状態で漏出させる材質である。フィルタは、空気を通過させることにより、空気中の微小な埃、細菌、カビ、小さなゴミ、臭い等を除去することができる。
【００１７】
フレームは、断面が四角形で側面の１つが開放した細長い形状を有している。フレームは、建物の室内天井部２に沿って縦横方向に延び、室内天井部２に固定されている。フレームは、内部に通風路を有している。フレームは、一端に通風路への送風取入口を有し、開放した側面に送風拡散口２５を有している。フレームは、暖冷房装置の送風口からの送風を送風取入口から取り入れ可能に、送風取入口を送風口に向けて配置されている。送風口と送風取入口とは、接続されている。フレームの送風取入口付近には、送風ファンが設けられ、送風取入口から通風路に空気を送るようになっている。
【００１８】
送風拡散口は、フレームの長さ方向に沿って延び、通風路に沿って設けられ、送風取入口から取り入れた空気を排出するようになっている。フレームは、送風拡散口が床の側を向くように取り付けられている。フレームは、送風取入口から取り入れた空気の一部を排出する複数の排出口を長さ方向に間隔をあけて有している。フレームは、送風拡散口を塞ぐようフィルタを配置して保持可能な保持部を有している。フィルタは、フレームの一端から他端まで送風拡散口に沿って配置されている。袋状のフィルタの開口は、送風取入口に接続されている。
【００１９】
水分供給部１２は、水、温水または蒸気を発生し、その水分供給量を調節して供給可能な弁１２ａを有している。
図３に示すように、水路１３は、樋状であって端部が閉じ、長さ方向中央に溝１３ａを有し、溝の外側の縁部１３ｂが外側にかけて高くなるよう傾斜した形状を有している。水路１３は、配管１７により水分供給部１２に接続されて貯水可能である。水路１３は、ダクトの上側にフレームの一端付近から他端付近まで送風拡散口に沿って設けられている。
【００２０】
気流発生装置１４は、基部と送風機とを有している。基部は、室内天井部２に固定されている。送風機は、動力により回転するプロペラから成り、基部が室内天井部２に固定されたとき床の側に向けて送風可能となっている。送風機は、常に０．２５ｍ／ｓの気流を発生させることができる。ただし、送風機は、夏には０．３〜０．５ｍ／ｓ、冬には０．１〜０．３ｍ／ｓの気流を発生させるよう出力を調整可能となっている。送風機は、フレームの長さ方向に間隔をあけて複数設けられている。各送風機は、各排出口から排出される空気を吸入して送風可能に各排出口に接続されている。
【００２１】
湿度センサ１５は、室内に設置され、室内の湿度を検出して制御装置１６に湿度を出力する。
制御装置１６は、マイクロコンピュータから成り、湿度センサ１５による検出湿度を入力してその検出湿度に応じて送風ファンの回転出力および気流発生装置１４の送風機の回転出力を制御可能となっている。制御装置１６は、コントロールパネルに内蔵されている。
【００２２】
次に、作用について説明する。
空調装置は、誘導拡散ダクト１１のフレームを、暖房装置、冷房装置または暖冷房装置の送風口からの送風を送風取入口から取り入れ可能に配置して室内天井部に沿って固定し、気流発生装置１４の基部を室内天井部に固定して使用される。誘導拡散ダクト１１は、送風取入口から取り入れた送風を送風拡散口からフィルタを通して排出し、室内に拡散させる。気流発生装置１４は、送風機により床側に向けて送風し、室内の空気を上下方向に拡散、還流させる。
【００２３】
湿度を調整する場合、水分供給部１２の弁を開いて水路１３に貯水する。誘導拡散ダクト１１の送風取入口から取り入れられた送風は、水路１３の水で湿度を高められてフィルタを通して排出され、室内に拡散される。さらに、湿度を高められた空気は、気流発生装置１４により室内の上下方向に拡散、還流される。水路１３は送風拡散口に沿って設けられているため、送風拡散口に沿って効率良く湿度の均一化を図ることができる。
【００２４】
また、制御装置１６で室内の湿度に応じて水分供給部１２の水分供給量および送風機の送風量を制御し、常に快適な湿度に設定することができる。
暖房装置、冷房装置または暖冷房装置の送風は、室内天井部に沿った方向および上下方向の両方で拡散させられるため、建物の室内全体で効率良く温度および湿度が均一化され、これにより、省エネルギーを図ることができる。また、送風取入口から取り入れた送風をフィルタを通して排出することにより、埃や臭いをフィルタでろ過または吸着し、室内の空気を清浄化することができる。
【図面の簡単な説明】
【００２５】
【図１】本発明の実施の形態の空調装置を示す平面図である。
【図２】図１の空調装置を示す断面図である。
【図３】図１の空調装置の誘導拡散ダクトを示す断面図である。
【符号の説明】
【００２６】
１    空調装置
２    室内天井部
１１  誘導拡散ダクト
１２  水分供給部
１３  水路
１４  気流発生装置
１５  湿度センサ
１６  制御装置
【図１】
2005291635.tif 000003
【図２】
2005291635.tif 000004
【図３】
2005291635.tif 000005